(57)【要約】【課題】間接活線作業による作業性を向上させる。【解決手段】高圧線２７を保持する高圧線保持部５と、引下線２８を保持する引下線保持部６とを有し、前記高圧線保持部５は、一対のコネクタ部材２，３にそれぞれ対峙するように形成された凹部により画成される空間に前記高圧線２７を嵌め込むと共に、弾性部材４の作用により該高圧線２７を締め付ける方向に両コネクタ部材２，３を付勢することにより前記高圧線２７を保持するものであって、前記高圧線保持部５の空間と外部との連通路に設けられ、前記高圧線２７の該空間への進入を許容する方向Ｄの回転のみを許可するカム２７、前記カム８の前記高圧線２７の前記空間からの脱出を許可する方向の回転も可能にする解除手段９を有する。【選択図】図２
2008289306.tif 000002
【特許請求の範囲】
【請求項１】
高圧線を保持する高圧線保持部と、引下線を保持する引下線保持部とを有し、
前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を付勢することにより前記高圧線を保持するものであって、
前記高圧線保持部の空間と外部との連通路に設けられ、前記高圧線の該空間への進入を許容する方向の回転のみを許容するカムと、
前記カムの前記高圧線の前記空間からの脱出を許容する方向の回転を可能にする解除手段と、
を有して構成されることを特徴とする引下線用コネクタ。
【請求項２】
高圧線を保持する高圧線保持部と、引下線を保持する引下線保持部とを有し、
前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を付勢することにより前記高圧線を保持するものであって、
前記高圧線保持部の空間内に前記高圧線に対して垂直方向に、且つ前記空間の入口側へのスライドに伴い互いに近づくようにスライド可能に設けられた少なくとも一対の楔状部材を有して構成されることを特徴とする引下線用コネクタ。
【請求項３】
高圧線を保持する高圧線保持部と、引下線を保持する引下線保持部とを有し、
前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を所定方向に付勢することにより前記高圧線を保持するものであって、
前記高圧線保持部の空間内に前記高圧線に対して平行な面に沿って、且つ一方向へのスライドに伴い互いに近づくと共に反対方向へのスライドに伴い互いに遠のくようにスライド可能に設けられた少なくとも一対の楔状部材を有して構成されることを特徴とする引下線用コネクタ。
【請求項４】
高圧線を保持する高圧線保持部と、引下線を保持する引下線保持部とを有し、
前記高圧線保持部は、コネクタ部材の一部をフック状に形成することにより画成される空間を前記高圧線に懸架させるものであって、
前記高圧線保持部の空間内において変位する高圧線押さえ手段を具備し、
前記高圧線押さえ手段は、前記コネクタ部材の外部に延出されたボルト状部材を所定の絶縁器具により回転させることにより、皿状の部材が前記高圧線に対して進退可能に設けられたものであることを特徴とする引下線用コネクタ。
【請求項５】
高圧線を保持する高圧線保持部と、引下線を保持する引下線保持部とを有し、
前記高圧線保持部は、コネクタ部材の一部をフック状に形成することにより画成される空間を前記高圧線に懸架させるものであって、
前記高圧線保持部の空間内において変位する高圧線押さえ手段を具備し、
前記高圧線押さえ手段は、共有操作棒により操作可能な回転部を具備し、該回転部を回転させることにより皿状の部材が前記高圧線に対して進退可能に設けられたものであることを特徴とする引下線用コネクタ。
【発明の詳細な説明】
【技術分野】
【０００１】
本発明は、電柱間に架設される高圧線と、該高圧線から分岐される引下線との分岐部分に設置される引下線用コネクタに関する。
【背景技術】
【０００２】
通常、電柱間に架設される高圧線からはトランスへ引き込まれる引下線が分岐されているが、この分岐部分には、高圧線と引下線とを共に係止できるように形成された引下線用コネクタが設置されている。この引下線用コネクタを設置する作業は、安全性等の面から間接活線作業により行われることが推奨されている。間接活線作業とは、絶縁性の道具（ヤットコ、ボルト締め付け用具、共有操作棒等）を用いることによって、作業員が直接充電部に接触することなく行われる作業である（作業員が絶縁着等を身に付けて直接充電部に接触して行う作業を直接活線作業という）。
【０００３】
上記のように、引下線用コネクタは間接活線作業によって設置可能な構造であることが望まれており、そのための従来技術として次のようなものがある。この従来技術に係る引下線用コネクタは、図１１に示すように、可動コネクタ部材２００及び固定コネクタ部材２０１を有して構成され、各コネクタ部材２００，２０１には高圧線２０３を保持するための半円弧状の凹部２０４がそれぞれ形成され、両コネクタ部材２００，２０１はコイルスプリング等の弾性体２０５の作用により前記凹部２０４に挟まれた高圧線２０３を締め付ける方向に付勢されている。また、両コネクタ部材２００，２０１にはボルト２０６が挿通される孔が形成されており、前記凹部２０４に高圧線２０３を挟み込んだ後、両コネクタ部材２００，２０１をボルト２０６で締め付けることにより、引下線用コネクタが高圧線２０３に確実に固定されるものである（特許文献１参照）。この引下線用コネクタを高圧線２０３に取り付ける際には、絶縁性のヤットコ等の道具により、固定コネクタ部材２０２に設けられた被操作把手２０２を把持し、高圧線２０３が凹部２０４に嵌まり込むように弾性体２０５の付勢力に抗しながら引下線用コネクタ全体を高圧線２０３に押し付けていく。そして、高圧線２０３が凹部２０４に嵌まった後、絶縁性のラチェット式ボルト締め付け用具等を用いてボルト２０６を締め付けるようにする。
【特許文献１】特開２００２−５６９４２号公報
【発明の開示】
【発明が解決しようとする課題】
【０００４】
上記従来構造においては、上述したように、先ず引下線用コネクタの凹部２０４に高圧線２０３を挟み込み、その後ボルト２０６の締め付けによって高圧線２０３と引下線用コネクタ全体との固定を確実なものにしている。この従来構造において、ボルト２０６による締め付け作業は、十分な固定力を得るために必要なものであるが、ボルト締め付け用具を用いたボルトの締め付け作業は困難なものであった。このように、従来構造においては間接活線作業による作業性等の面で改善の余地があった。
【０００５】
そこで、本発明は、間接活線作業による作業性を向上させることを目的とする。
【課題を解決するための手段】
【０００６】
上記課題の解決を図る本発明は、高圧線を保持する高圧線保持部と、引下線を保持する引下線保持部とを有し、前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を付勢することにより前記高圧線を保持するものであって、前記高圧線保持部の空間と外部との連通路に設けられ、前記高圧線の該空間への進入を許容する方向の回転のみを許可するカムと、前記カムの前記高圧線の前記空間からの脱出を許容する方向の回転を可能にする解除手段とを有して構成されることを特徴とする引下線用コネクタである（請求項１）。
【０００７】
この構成においては、高圧線保持部の空間内に高圧線を嵌め込むために、当該引下線用コネクタを絶縁ヤットコ等の器具を用いて高圧線に対して押し進めていくと、一対のコネクタ部材が弾性部材に抗して開くと共に、カムが回転して高圧線が高圧線保持部の空間内に進入する。この時、カムは逆回転しないため、高圧線の当該空間内から外れる方向への動きが規制される。また、引下線用コネクタを高圧線から外したい時には、解除手段を操作することにより、カムの逆回転を許可すればよい。これにより、従来のようにボルトによる締め付けを行わなくても、引下線用コネクタを高圧線に確実且つ簡便に固定することができる。これにより、間接活線作業による取付性は、従来のものに比べて格段に向上される。
【０００８】
また、本発明は、高圧線を保持する高圧線保持部と、引下線を保持する引下線保持部とを有し、前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を所定方向に付勢することにより前記高圧線を保持するものであって、前記高圧線保持部の空間内に前記高圧線に対して垂直方向に、且つ前記空間の入口側へのスライドに伴い互いに近づくようにスライド可能に設けられた少なくとも一対の楔状部材を有して構成されることを特徴とする引下線用コネクタである（請求項２）。
【０００９】
この構成によれば、高圧線を高圧線保持部の空間内に嵌め込んだ後、当該引下線用コネクタを下方へ軽く引き下げる（又は自重に委ねる）ことにより、楔状部材が高圧線に当接しながら上方且つ内側へ移動して、高圧線とこれら楔状部材との当接圧力が大きくなり、当該引下線用コネクタは高圧線にしっかりと保持される。また、当該引下線用コネクタを高圧線から取り外す際には、一度当該引下線用コネクタを軽く押し上げることにより、楔状部材がその自重で下方且つ外側に変位し、楔状部材と高圧線との当接状態が解かれるので、その後当該引下線用コネクタを引き下げれば、これを高圧線から取り外すことができる。以上のように、この構成によっても、引下線用コネクタを高圧線に確実且つ簡便に固定することができる。
【００１０】
また、本発明は、高圧線を保持する高圧線保持部と、引下線を保持する引下線保持部とを有し、前記高圧線保持部は、一対のコネクタ部材にそれぞれ対峙するように形成された凹部により画成される空間に前記高圧線を嵌め込むと共に、弾性部材の作用により該高圧線を締め付ける方向に両コネクタ部材を所定方向に付勢することにより前記高圧線を保持するものであって、前記高圧線保持部の空間内に前記高圧線に対して平行な面に沿って、且つ一方向へのスライドに伴い互いに近づくと共に反対方向へのスライドに伴い互いに遠のくようにスライド可能に設けられた少なくとも一対の楔状部材を有して構成されることを特徴とする引下線用コネクタである（請求項３）。
【００１１】
この構成においては、高圧線を高圧線保持部の空間内に嵌め込んだ後、引下線用コネクタ全体を高圧線に沿って平行に移動させることにより、楔状部材を高圧線に当接させてしっかり保持することができる。
【００１２】
また、本発明は、高圧線を保持する高圧線保持部と、引下線を保持する引下線保持部とを有し、前記高圧線保持部は、コネクタ部材の一部をフック状に形成することにより画成される空間を前記高圧線に懸架させるものであって、前記高圧線保持部の空間内において変位する高圧線押さえ手段を具備し、前記高圧線押さえ手段は、前記コネクタ部材の外部に延出されたボルト状部材を所定の絶縁器具により回転させることにより、皿状の部材が前記高圧線に対して進退可能に設けられたものであることを特徴とする引下線用コネクタである（請求項４）。
【００１３】
この構成においては、フック状に形成された高圧線保持部を高圧線に引っ掛けるようにして当該引下線用コネクタを仮固定させた後、ボルト状部材を回転させて高圧線押さえ手段により高圧線をしっかりと保持する。このように、高圧線押さえ手段による固定作業を、高圧線に当該引下線用コネクタを引っ掛けた状態で行うため、多少下方への圧力がかかっても外れることがなく、従来のものより取付性が向上する。
【００１４】
また、本発明は、高圧線を保持する高圧線保持部と、引下線を保持する引下線保持部とを有し、前記高圧線保持部は、コネクタ部材の一部をフック状に形成することにより画成される空間を前記高圧線に懸架させるものであって、前記高圧線保持部の空間内において変位する高圧線押さえ手段を具備し、前記高圧線押さえ手段は、共有操作棒により操作可能な回転部を具備し、該回転部を回転させることにより皿状の部材が前記高圧線に対して進退可能に設けられたものであることを特徴とする引下線用コネクタである（請求項５）。
【００１５】
この構成においては、上記請求項４記載の構成のボルト状部材に変えて、汎用性の高い共通操作棒を使用可能とする回転部を具備したことから、道具の共通化による装備の軽減等の利点がある。
【発明の効果】
【００１６】
以上のように、本発明によれば、一方向の回転のみを許容するカム、又は楔状部材を備えたことにより、高圧線への取付性と脱落防止の効果を向上させることができ、簡便且つ強固な固定が可能となる。更に、高圧線保持部をフック状にすることにより、作業時に引下線用コネクタに下方への圧力が多少かかったとしても引下線用コネクタが高圧線から容易に脱落してしまうことはないので、作業性がよくなる。更にまた、高圧線押さえ手段を操作する道具を共有操作棒にすることにより、他の装置間との道具の共通化が可能となり、装備の軽減等の効果を得ることができる。
【発明を実施するための最良の形態】
【００１７】
以下、添付した図面を参照して本発明の実施例を説明する。尚、異なる実施例において同一又は同様の作用効果を奏する箇所についてはその説明を省略する。
【実施例１】
【００１８】
図１（ａ），（ｂ）において、本実施例に係る引下線用コネクタ（以下、コネクタと略記する）１の構造が示されている。このコネクタ１は、固定コネクタ部材２、可動コネクタ部材３、弾性部材４、高圧線保持部５、引下線保持部６、把持部７、高圧線用カム８、引下線用カム１０を有して構成されている。
【００１９】
固定コネクタ部材２と可動コネクタ部材３とは、固定コネクタ部材２に形成された接触凸部１５と可動コネクタ部材３に形成された接触凹部１６との嵌合、及び弾性部材４による固定によって、可動コネクタ部材３が固定コネクタ部材２に対してＶ字型に揺動可能となるように連結されている。弾性部材４は、針金状のバネであって、図１（ａ）及び（ｂ）に示すように、その端部が固定コネクタ部材２及び可動コネクタ部材３にそれぞれ固定され、固定コネクタ部材２に穿設された孔１８に挿通されている。
【００２０】
高圧線保持部５は、固定コネクタ部材２に形成された凹部２０ａと可動コネクタ部材３に形成された凹部２０ｂとが対峙することにより画成される略円形状の空間により構成される。この高圧線保持部５の円径は、各種の高圧線の径に合せて設計され、例えばφ１７ｍｍ，１３．６ｍｍ，９．７ｍｍ，７．２ｍｍ，６．３ｍｍ等が好適である。引下線保持部６は、図１（ａ）及び（ｂ）に示すように、可動コネクタ部材３の側面部に形成されたスリットにより構成される。
【００２１】
高圧線用カム８は、固定コネクタ部材２及び可動コネクタ部材３の先端部に回転軸２３により軸支されている。全ての高圧線用カム８は、図示しないが周知のラチェット機構等を用いて、通常時には図１（ａ）中矢印Ａの方向にのみ回転可能になされている。また、この高圧線用カム８の一方向のみに回転可能な状態は、解除ボタン９を押すことによって解除できるようになされている。
【００２２】
また、可動コネクタ部材３の側面には、引下線を保持するためのスリット状の引下線保持部６が形成されており、この引下線保持部６の入口部分には、引下線用カム１０が設けられている。引下線用カム１０は、高圧線用カム８と同様の機構によって、図中矢印Ｂの方向にのみ回転可能になされており、この一方向のみに回転可能な状態は、解除ボタン１１を押すことによって解除できるようになされている。
【００２３】
図２において、上記構成のコネクタ１を高圧線２７に取り付ける際の手順が示されている。先ず、図２（ａ）に示すように、高圧線２７に下方からコネクタ１上部の高圧線用カム８を当接させ、図中矢印Ｃのようにコネクタ１を高圧線２７に向かって押し進める。コネクタ１の操作は、固定コネクタ部材２の把持部７を絶縁ヤットコ等の器具で把持して行われる。すると、図２（ｂ）に示すように、高圧線用カム８は高圧線２７との摩擦力によって、図中矢印Ｄのように内側へ回転すると共に、可動コネクタ部材３が弾性部材４の付勢力に抗して固定コネクタ部材２に対してＶ字形になるように変位する。そして、更にコネクタ１を高圧線２７側に進行させることにより、図２（ｃ）に示すように、高圧線２７がコネクタ１の高圧線保持部５の空間内に嵌まると共に、高圧線用カム８の先端部がこの空間内の高圧線２７を上方から押さえるような形となる。この時、高圧線用カム８はラチェット機構等の作用により一方向（矢印Ｄの方向）にしか回転しないので、高圧線保持部５内に納まった高圧線２７を押さえたままロックした状態となる。また、解除ボタン９を押すことによって、高圧線用カム８は矢印Ｄの反対方向に回転可能となるので、コネクタ１を高圧線２７から外す時には、この解除ボタン９を押し、コネクタ１を下方（矢印Ｃとは反対方向）に引き下げることにより、コネクタ１を高圧線２７から外すことができる。そして、引下線保持部６内に引下線２８を嵌め込む際には、上記高圧線用カム８と同様の作用効果を奏する引下線用カム１０によって、引下線２８を引下線保持部６内にロックし、また解除ボタン１１によってこのロック状態を解除する。
【００２４】
以上、本構成によれば、従来のようにボルトによる締め付けを行わなくても、コネクタ１を高圧線２７に確実且つ簡便に固定することができる。これにより、間接活線作業による取付性は、従来のものに比べて格段に向上される。
【実施例２】
【００２５】
図３（ａ），（ｂ）において、本実施例に係る引下線用コネクタ（以下、コネクタと略記する）３１の構造が示されている。このコネクタ３１は、固定コネクタ部材３２、可動コネクタ部材３３、弾性部材３４、高圧線保持部３５、引下線保持部３６、把持部３７、楔状部材５１を有して構成されている。
【００２６】
固定コネクタ部材３２と可動コネクタ部材３３とは、固定コネクタ部材３２に形成された接触凸部４５と可動コネクタ部材３３に形成された接触凹部４６との嵌合、及び弾性部材３４による固定によって、可動コネクタ部材３３が固定コネクタ部材３２に対してＶ字型に揺動可能となるように連結されている。
【００２７】
高圧線保持部３５は、固定コネクタ部材３２に形成された凹部３９ａと可動コネクタ部材３３に形成された凹部３９ｂとが対峙することにより画成される略楕円形状の空間により構成される。可動コネクタ部材３３の側面には、引下線を保持するためのスリット状の引下線保持部３６、及びこの引下線保持部３６による引下線の保持力を向上させるための引下線用カム４０が設けられており、これら引下線保持部３６及び引下線用カム４０の構造は、上記実施例１に係る引下線保持部６及び引下線用カム１０と同様である。
【００２８】
本実施例に係るコネクタ３１は、図３（ａ）及び（ｂ）に示すように、楔状部材５０を具備することを特徴としている。この楔状部材５０は、固定コネクタ部材３２及び可動コネクタ部材３３の内部に設けられた傾斜部５１に沿ってスライド可能に設けられており、上方へのスライドに伴い内側に、下方へのスライドに伴い外側に変位するものである。
【００２９】
図４において、上記構成のコネクタ３１を高圧線２７に取り付ける際の手順が示されている。先ず、図４（ａ）に示すように、高圧線２７に下方からコネクタ３１上部の高圧線保持部３５の入り口部分を当接させ、図中矢印Ｅのようにコネクタ１を高圧線２７に向かって押し進める。コネクタ３１の操作は、固定コネクタ部材３２の把持部３７を絶縁ヤットコ等の器具で把持して行われる。すると、図４（ｂ）に示すように、可動コネクタ部材３３が弾性部材３４の付勢力に抗して変位し、高圧線保持部３５内に高圧線２７が嵌まり込む。そして、図４（ｃ）に示すように、コネクタ３１を図中矢印Ｆの方向に、軽く引き下げる（又は自重に委ねる）ことにより、楔状部材５０が高圧線２７に当接しながら傾斜部５１に沿って上方且つ内側へ移動して、高圧線２７を保持する。
【００３０】
また、コネクタ１を高圧線２７から取り外す際には、図５（ａ）に示す固定された状態から、図５（ｂ）に示すように、図中矢印Ｇの方向にコネクタ３１を押し上げることにより、楔状部材５０がその自重で下方且つ外側に変位し、楔状部材５０と高圧線２７との当接状態を解くことができるので、その後図５（ｃ）に示すように、図中矢印Ｈの方向にコネクタ３１を引き下げることにより、コネクタ３１を高圧線２７から取り外すことができる。
【００３１】
以上のように、本構成によっても、コネクタ３１を高圧線２７に確実且つ簡便に固定することができ、間接活線作業による取付性を従来のものより格段に向上させることができる。
【実施例３】
【００３２】
図６において、本実施例に係る引下線用コネクタ（以下、コネクタと略記する）６１の構造が示されている。図６（ｂ）は、図６（ａ）の上面図であり、図６（ｃ）は、後述する楔状部材７１の斜視図である。このコネクタ６１は、固定コネクタ部材６２、可動コネクタ部材６３、弾性部材６４、高圧線保持部６５、引下線保持部６６、把持部６７、楔状部材７１を有して構成されている。
【００３３】
固定コネクタ部材６２と可動コネクタ部材６３とは、固定コネクタ部材６２に形成された接触凸部７５と可動コネクタ部材６３に形成された接触凹部７６との嵌合、及び弾性部材７４による固定によって、可動コネクタ部材６３が固定コネクタ部材６２に対してＶ字型に揺動可能となるように連結されている。
【００３４】
高圧線保持部６５は、固定コネクタ部材６２に形成された凹部６９ａと可動コネクタ部材６３に形成された凹部６９ｂとが対峙することにより画成される略円形状の空間により構成される。可動コネクタ部材６３の側面には、引下線を保持するためのスリット状の引下線保持部６６、及びこの引下線保持部６６による引下線の保持力を向上させるための引下線用カム７０が設けられており、これら引下線保持部６６及び引下線用カム７０の構造は、上記実施例１に係る引下線保持部６及び引下線用カム１０と同様である。
【００３５】
本実施例に係るコネクタ６１は、図６（ｂ）及び（ｃ）に示すような楔状部材７１を具備することを特徴としている。この楔状部材７１は、固定コネクタ部材６２及び可動コネクタ部材６３の内部に水平方向に（高圧線に対して平行な面に沿って）設けられた傾斜部７２に沿ってスライド可能に設けられており、高圧線に沿う一方向へのスライドに伴い内側に、これと反対方向へのスライドに伴い外側に変位するものである。楔状部材７１は、図６（ｃ）に示すように、半円柱の平坦面側に半円柱状の高圧線保持凹部７３が形成されており、対面する２つの楔状部材７１のそれぞれに形成された高圧線保持凹部７３により、前記高圧線保持部６５が画成される。
【００３６】
図７において、上記構成のコネクタ６１を高圧線２７に取り付ける際の手順が示されている。先ず、図７（ａ）に示すように、高圧線２７を高圧線保持部６５に嵌め込み、次いで図７（ｂ）に示すように、コネクタ６１を矢印Ｊの方向に移動させることにより、楔状部材７１が高圧線２７を保持する。
【００３７】
以上のように、本構成によっても、ボルトによる締め付けを行うことなく、コネクタ６１を高圧線２７に確実且つ簡便に固定することができる。
【実施例４】
【００３８】
図８に示す本実施例に係る引下線用コネクタ（以下、コネクタと略記する）８１は、湾曲部８４、高圧線保持部８５、高圧線押さえ手段８６、昇降手段８７、引下線保持部８８、引下線押さえ手段８９、把持部９０を有して構成されている。
【００３９】
湾曲部８４は、コネクタ８１本体の上端部においてフック形状に形成された部分であり、この湾曲部８４の内部には、略楕円形の高圧線保持部８５が画成されている。高圧線押さえ手段８６は、皿状の部材からなり、高圧線保持部８５内に配置され、昇降手段８７によって高圧線保持部８５内で変位するようになされている。この昇降手段８７は、一端がボルト状で他端がヘリカルギア状の部材９５と、一端がヘリカルギア状で他端に前記高圧線押さえ手段８６が固定され中央部に螺条が形成された部材９６とから構成され、部材９５を絶縁性のボルト締め付け用具を用いて回転させることにより、ヘリカルギアを介して部材９６が回転し、この部材９６の回転に応じて高圧線押さえ手段８６が昇降する仕組みとなっている。
【００４０】
上記構成のコネクタ８１を高圧線２７に固定する場合には、図８（ａ）に示すように、先ず高圧線２７を開口部９８から矢印Ｋのように高圧線保持部８５内に入れ込み、コネクタ８１全体を高圧線２７に懸けるようにする。次いで、図８（ｂ）に示すように、昇降手段８７のボルト状の部材９５を回転させ、受け皿状の高圧線押さえ手段８６を上方に進行させて高圧線２７に当接させる。これにより、コネクタ８１は高圧線２７にしっかりと固定される。その後、引下線保持部８８内に引下線２８を嵌め込み、ボルト状の部材からなる引下線固定手段８９を回転させ、引下線２８を固定する。
【００４１】
この構造によれば、高圧線押さえ手段８６による高圧線２７への固定作業を、高圧線保持部８５によりコネクタ８１を高圧線２７に引っ掛けた後に行うことができるので、従来のものに比べて、取付性が格段に向上したものとなる。
【実施例５】
【００４２】
図９に示す本実施例に係る引下線用コネクタ（以下、コネクタと略記する）１０１は、湾曲部１０４、高圧線保持部１０５、高圧線押さえ手段１０６、昇降手段１０７、引下線保持部１０８、引下線押さえ手段１０９を有して構成されている。
【００４３】
湾曲部１０４は、コネクタ１０１本体の上端部においてフック形状に形成された部分であり、この湾曲部１０４の内部には、略楕円形の高圧線保持部１０５が画成されている。高圧線押さえ手段１０６は、皿状の部材からなり、高圧線保持部１０５内に配置され、昇降手段１０７によって高圧線保持部１０５内で上下に変位するようになされている。この昇降手段１０７は、螺条凹部１１０及び螺条ブロック体（請求項５中、回転体に相当する）１１１を具備して構成され、螺条凹部１１０は、コネクタ１０１本体の内部に形成された円柱状の中空部であり、下端部が開口し、内壁面に螺条１１３が形成されている。螺条ブロック体１１１は、外壁面に螺条１１５が形成された円柱状の部材であり、その内部に共通操作棒１１７の先端部１１８が嵌合可能な嵌合部１１２が形成されている。螺条ブロック体１１１の上面部には、棒状部材１１４の一端が固定され、この棒状部材１１４の他端には高圧線押さえ手段１０６が固定されている。螺条ブロック体１１１は、螺条凹部１１０に螺合されているので、図１０に示すように、嵌合部１１２に共通操作棒１１７の先端部１１８を嵌合し、この共通操作棒１１７を回転させることにより、螺条ブロック体１１１を螺条凹部１１０内で上下にスライドさせることができ、この螺条ブロック体１１１のスライドに合せて、高圧線押さえ手段１０６を上下させることができる。
【００４４】
上記構成のコネクタ１０１を高圧線２７に固定する場合には、図１０に示すように、先ず高圧線２７を、開口部１１９から高圧線保持部１０５内に入れ込み、コネクタ１０１全体を高圧線２７に懸けるようにする。次いで、昇降手段１０７に、上記のように共通操作棒１１７を挿入して回転させることにより、受け皿状の高圧線押さえ手段１０６を上方に移動させて高圧線２７に当接させる。これにより、コネクタ１０１は高圧線２７にしっかりと固定される。その後、引下線保持部１０８に引下線２８を嵌め込み、引下線固定手段１０９を絶縁器具を用いて回転させ、引下線２８を固定する。
【００４５】
このような構成によっても、上記実施例４と同様に、コネクタ１０１を高圧線２７に引っ掛けた状態で固定作業を行うことができるので、従来のものより取付性が向上したものとなる。また、本実施例では、高圧線押さえ手段１０６の操作に汎用性の高い共通操作棒１１７を使用可能にしたことから、道具の共通化による装備の軽減等の利点がある。
【図面の簡単な説明】
【００４６】
【図１】（ａ）は、本発明の実施例１に係る引下線用コネクタの構造を示す正面図であり、（ｂ）は、同引下線用コネクタの右側面図である。
【図２】（ａ），（ｂ），（ｃ）は、実施例１に係る引下線用コネクタを高圧線に固定する際の手順を示すものである。
【図３】（ａ）は、本発明の実施例２に係る引下線用コネクタの構造を示す正面図であり、（ｂ）は、楔状部材の構造を示す一部拡大図である。
【図４】（ａ），（ｂ），（ｃ）は、実施例２に係る引下線用コネクタを高圧線に固定する際の手順を示す図である。
【図５】（ａ），（ｂ），（ｃ）は、実施例２に係る引下線用コネクタを高圧線から取り外す際の手順を示す図である。
【図６】（ａ）は、本発明の実施例３に係る引下線用コネクタの構造を示す正面図であり、（ｂ）は、同引下線用コネクタの上面図であり、（ｃ）は、同引下線用コネクタにおける楔状部材の斜視図である。
【図７】（ａ），（ｂ）は、実施例３に係る引下線用コネクタを高圧線に固定する際の手順を示す図である。
【図８】（ａ），（ｂ）は、実施例４に係る引下線用コネクタの構造及びこれを高圧線に固定する際の手順を示す図である。
【図９】本発明の実施例５に係る引下線用コネクタの構造を示す図である。
【図１０】実施例５に係る引下線用コネクタを高圧線に固定する際の手順を示す図である。
【図１１】従来の引下線用コネクタの構造を示す図である。
【符号の説明】
【００４７】
１，３１，６１，８１、１０１  引下線用コネクタ
２，３２，６２  固定コネクタ部材
３，３３，６３  可動コネクタ部材
４，３４，６４  弾性部材
５，３５，６５，８５，１０５  高圧線保持部
６，３６，６６，８８，１０８  引下線保持部
７，３７，６７，８７，１０７  把持部
８  高圧線用カム
９  解除ボタン
１０，４０，７０  引下線用カム
１１  解除ボタン
２７  高圧線
２８  引下線
５０，７１  楔状部材
５１，７２  傾斜部
８６，１０６  高圧線押さえ手段
８７，１０７  昇降手段
【図１】
2008289306.tif 000003
【図２】
2008289306.tif 000004
【図３】
2008289306.tif 000005
【図４】
2008289306.tif 000006
【図５】
2008289306.tif 000007
【図６】
2008289306.tif 000008
【図７】
2008289306.tif 000009
【図８】
2008289306.tif 000010
【図９】
2008289306.tif 000011
【図１０】
2008289306.tif 000012
【図１１】
2008289306.tif 000013